【手続補正書】
【提出日】平成24年1月13日(2012.1.13)
【手続補正１】
【補正対象書類名】特許請求の範囲
【補正対象項目名】全文
【補正方法】変更
【補正の内容】
【特許請求の範囲】
【請求項１】
複合部品の製造に使用されるツールであって、
形状を有する封入層と、
封入層の上に位置する断熱層と、
断熱層の上に位置する隔離層であって、隔離層が、その上に積層される複合材料と接することができる外表面を有し、断熱層が、複合材料に加えられた熱から封入層を絶縁することができ、封入層が、複合材料から複合部品を形成するための硬化プロセスの間、隔離層上に積層された複合材料の形状を維持することができる、隔離層と、
第２の断熱層であって、封入層が第２の断熱層の上に位置して熱から絶縁される、断熱層と
を含むツール。
【請求項２】
断熱材が、有機断熱材料、無機断熱材料、ポリマー、接着剤、エラストマー、ガラス、及びセラミックから選択された一つの断熱材料を含む、請求項１に記載のツール。
【請求項３】
断熱材が、発泡体、ハニカム、シート、及び繊維のうちの少なくとも一つを含む、請求項１に記載のツール。
【請求項４】
熱導体が、金属、熱伝導性エラストマー、熱伝導性ポリマー、熱伝導性有機材料、及び金属繊維から選択された一つの熱伝導材料を含む、請求項１に記載のツール。
【請求項５】
ツールが内側モールド線である、請求項１に記載のツール。
【請求項６】
ツールが外側モールド線である、請求項１に記載のツール。
【請求項７】
複合部品が航空機のパーツである、請求項１に記載のツール。
【請求項８】
航空機のパーツが、胴体の円筒形セクション、翼パネル、安定板のセクション、補強材、フェアリング、操縦面、外板、外板のセクション、ドア、ストラット、及び管構造より選択される一つである、請求項７に記載のツール。
【請求項９】
形状を有する封入層と、
封入層を覆う断熱層であって、断熱層は、複合材料に加えられる熱から封入層を絶縁することができ、封入層は、複合部品を形成するための硬化プロセスの間に断熱層を覆うように積層された複合材料の形状を維持することができる、断熱層と、
断熱層の上に位置する隔離層であって、その上に積層される複合材料と接することができる外表面を有し、断熱層と複合材料の間に位置する、隔離層と、
第２の断熱層であって、封入層が第２の断熱層の上に位置して熱から絶縁される、断熱層と
を含む機具。
【請求項１０】
封入層と断熱層とがツールを形成しており、更に、
複合積層材料と、
熱源と
を含んでいる、請求項９に記載の器具。
【請求項１１】
複合部品の製造方法であって、
複合部品の形状を有する封入層と、封入層の上の断熱層と、断熱層の上の隔離層と、第２の断熱層とを含むツールの上に複合材料を配置するステップであって、隔離層が、その上に積層される複合材料と接する外表面を有し、断熱層が、複合材料に加えられる熱から封入層を絶縁し、封入層が、複合材料から複合部品を形成するための硬化プロセスの間に隔離層の上に積層される複合材料の形状を維持し、且つ封入層が第２の断熱層の上に位置して熱から絶縁される、前記ステップと、
外表面上の複合材料を硬化させて複合部品を形成するステップと
を含む方法。
【手続補正２】
【補正対象書類名】明細書
【補正対象項目名】００７０
【補正方法】変更
【補正の内容】
【００７０】
種々の有利な実施形態の説明は、例示及び説明のために提示されているのであって、精緻な説明であること、又は開示された形態に実施形態を限定することを意図していない。当業者には、多数の変更及び変形が可能であることが明らかであろう。更に、種々の有利な実施形態は、他の有利な実施形態とは異なる利点を提供することができる。選択されている一又は複数の実施形態は、実施形態の原理、実際の用途を最もよく説明し、他の当業者が、種々の実施形態の開示内容を、想定可能な用途に適した様々な変更と共に、理解することができるように、選ばれて説明されている。
また、本発明は以下に記載する態様を含む。
（態様１）
複合部品の製造に使用されるツールであって、
形状を有する封入層と、
封入層の上に位置する断熱層と、
断熱層の上に位置する隔離層と
を含み、隔離層が、その上に積層される複合材料と接することができる外表面を有し、断熱層が、複合材料に加えられた熱から封入層を絶縁することができ、封入層が、複合材料から複合部品を形成するための硬化プロセスの間、隔離層上に積層された複合材料の形状を維持することができる、ツール。
（態様２）
断熱層が約２．５Ｅ−０６ｍ２／秒未満の熱伝導率を有する、態様１に記載のツール。
（態様３）
断熱材料が、有機断熱材料、無機断熱材料、ポリマー、接着剤、エラストマー、ガラス、及びセラミックから選択された一つの断熱材料を含む、態様２に記載のツール。
（態様４）
断熱材料が、発泡体、ハニカム、シート、及び繊維のうちの少なくとも一つを含む、態様２に記載のツール。
（態様５）
熱導体が、金属、熱伝導性エラストマー、熱伝導性ポリマー、熱伝導性有機材料、及び金属繊維から選択された一つの熱伝導材料を含む、態様２に記載のツール。
（態様６）
第２の断熱層
を更に含み、第２の断熱層の上には封入層が位置しており、封入層が熱から絶縁される、態様２に記載のツール。
（態様７）
ツールが内側モールド線である、態様１に記載のツール。
（態様８）
ツールが外側モールド線である、態様１に記載のツール。
（態様９）
複合部品が航空機のパーツである、態様１に記載のツール。
（態様１０）
航空機のパーツが、胴体の円筒形セクション、翼パネル、安定板のセクション、補強材、フェアリング、操縦面、外板、外板のセクション、ドア、ストラット、及び管構造より選択される一つである、態様９に記載のツール。
（態様１１）
形状を有する封入層と、
封入層を覆う断熱層と
を含み、断熱層は、複合材料に加えられる熱から封入層を絶縁することができ、封入層は、複合部品を形成するための硬化プロセスの間に断熱層を覆うように積層された複合材料の形状を維持することができる、機具。
（態様１２）
封入層と断熱層とがツールを形成しており、更に、
複合積層材料と、
熱源と
を含んでいる、態様１１に記載の器具。
（態様１３）
断熱層を覆う隔離層
を更に含み、隔離層が、断熱層の上に積層された複合材料と接することができる外表面を有しており、且つ断熱層と複合材料との間に位置している、態様１１に記載の機具。
（態様１４）
断熱層が、約２．５Ｅ−０６ｍ２／秒未満の熱拡散率を有する、態様１３に記載の機具。
（態様１５）
第２の断熱層
を更に含み、第２の断熱層の上には封入層が位置しており、封入層が熱から絶縁される、態様１４に記載の機具。
（態様１６）
複合部品の製造方法であって、
複合部品の形状を有する封入層と、封入層の上の断熱層と、断熱層の上の隔離層とを含むツールであって、隔離層が、その上に積層される複合材料と接する外表面を有し、断熱層が、複合材料に加えられる熱から封入層を絶縁し、且つ封入層が、複合材料から複合部品を形成するための硬化プロセスの間に隔離層の上に積層される複合材料の形状を維持するツールの上に、複合材料を配置すること、及び
外表面上の複合材料を硬化させて複合部品を形成すること
を含む方法。
（態様１７）
硬化ステップが、
外表面上の複合材料をオートクレーブ内で硬化させること
を含む、態様１６に記載の方法。
（態様１８）
硬化ステップが、
外表面上の複合材料をオーブン内で硬化させること
を含む、態様１６に記載の方法。
（態様１９）
複合部品が航空機のパーツである、態様１６に記載の方法。
（態様２０）
航空機のパーツが、胴体の円筒形セクション、翼パネル、安定板のセクション、補強材、フェアリング、操縦面、外板、外板のセクション、ドア、ストラット、及び管構造から選択される一つである、態様１９に記載の方法。